(57)【特許請求の範囲】
【請求項１】
非吸水性の熱可塑性シート材を下側シート材とし、透湿性シート材を上側シート材としたマット本体を備え、
このマット本体に、下側シート材と上側シート材を重合状態に接合した重合接合部によって周囲が封鎖された複数個の袋状部が形成され、
この各袋状部に調湿剤を封入した調湿剤封入部又は／及び各袋状部に消臭剤を封入した消臭剤封入部が形成され、
マット本体の下面側に、重合接合部に沿ってマット本体の外方に通じる通気空間が形成されていることを特徴とした床下用マット。
【請求項２】
請求項１記載の床下用マットにおいて、
重合接合部に、通気空間からマット本体の上面側に通じる通気孔が形成されている床下用マット。
【発明の詳細な説明】
【０００１】
【発明の属する技術分野】
本発明は、床下空間の調湿又は／及び消臭を行うために、床下地面に敷設して使用する床下用マットに関する。
【０００２】
【従来の技術】
床下空間は、土壌からの蒸発水分によって多湿になりがちであり、これが木材腐朽菌の繁殖を促し、湿気を好むシロアリによる被害の原因にもなっている。また、空気の滞留によって特有の臭いがある。
そこで、従来では、吸湿剤を床下地面に直接散布して、床下空間の湿気を除湿させるようにしていた。
【０００３】
また、従来、非吸水性の熱可塑性シート材を下側シート材とし、透湿性上側シート材を上側シート材としたマット本体を備え、このマット本体に、下側シート材と上側シート材を重合状態に接合した重合接合部によって周囲を封鎖した複数個の袋状部を形成し、この各袋状部に吸湿剤を封入した吸湿剤封入部が形成された床下用マットが提案されている。
【０００４】
【発明が解決しようとする課題】
しかしながら、上記のように吸湿剤を床下地面に直接散布するものでは、当初は吸湿剤が湿気を吸収して床下空間の湿気を除湿できるが、床下地面から発生する水蒸気を直接吸収するために、吸湿能力が次第に低下し、短時間で飽和状態になって、床下空間を長期的に低湿度に維持することが困難になるという問題があった。
【０００５】
又、上記した従来の床下用マットを床下地面に敷設して使用した場合には、透湿性の上側シート材を通して吸湿剤封入部の吸湿剤が床下空間の湿気を吸湿するために、床下空間を除湿することができるものの、下側シート材が非吸水性であるため、床下地面から蒸発した水蒸気がこの下側シート材によって遮られてしまい、その結果、下側シート材に結露が発生し、カビが発生するという問題があった。
更に、床下地面が非吸水性の下側シート材によって覆われてしまうため、湿気の多い空気が床下地面の上に閉じ込められ、嫌気性微生物が繁殖して土壌が腐敗していくおそれがある。
又、このようなカビによるカビ臭や有機物の腐敗による腐敗臭が床下空間にこもることになるし、又、トイレに近い場所ではアンモニア等の悪臭が発生しているが、従来の床下用マットには消臭剤を封入した消臭剤封入部がないため消臭能力がなく、これらの悪臭を消臭することができないという問題があった。
【０００６】
本発明は、上述のような従来の問題を解決するためになされたもので、床下空間を調湿又は／及び消臭し、特に、床下地面から蒸発した水蒸気（湿気）の抜け道となる重合接合部の通気空間と通気孔を設けることにより、床下地面と床下空間の間が完全に遮断されないようにして、下側シート材の結露とカビの発生を減少させ、土壌中の有機物の腐敗を防止することができる床下用マットを提供することを課題としている。
【０００７】
【課題を解決するための手段】
上記課題を解決するために、本発明の床下用マット（請求項１）は、
非吸水性の熱可塑性シート材を下側シート材とし、透湿性シート材を上側シート材としたマット本体を備え、
このマット本体に、下側シート材と上側シート材を重合状態に接合した重合接合部によって周囲が封鎖された複数個の袋状部が形成され、
この各袋状部に調湿剤を封入した調湿剤封入部又は／及び各袋状部に消臭剤を封入した消臭剤封入部が形成され、
マット本体の下面側に、重合接合部に沿ってマット本体の外方に通じる通気空間が形成されている構成とした。
【０００８】
又、上記床下用マットにおいて、重合接合部に、通気空間からマット本体の上面側に通じる通気孔が形成されている態様（請求項２）がある。
【０００９】
【発明の実施の形態】
以下、本発明の実施の形態を図面により説明する。尚、本発明の具体的構成は、以下の実施の形態に限定されることはない。
図１は本発明の床下用マットの実施の１形態である調湿用マットを示す平面図、図２はこの調湿用マット（床下用マット）の部分断面図である。
【００１０】
この調湿用マットは、非吸水性の熱可塑性シート材を下側シート材１１とし、透湿性シート材（不織布）を上側シート材１２としたマット本体１を備え、この下側シート材１１と上側シート材１２の間に複数個の袋状部１３が形成されている。
この場合、各袋状部１３は、その周囲が下側シート材１１と上側シート材１２を重合状態に接合（接着）した重合接合部１４によって完全に囲繞された方形状（形状は限定されない）に形成され、図１に示すように、縦方向に２列、横方向に３列の合計６個の袋状部１３が形成されている。
【００１１】
尚、袋状部１３は、図２に示すように、下側シート材１１に目地部１５を介して複数個の凹部１６を形成し、この上に平らな上側シート材１２を重ねて目地部１５において両シート材１１，１２を接合することにより形成したものになっている。
このように形成することにより、隣り合う各袋状部１３，１３間に目地部１５の空間による通気空間２が形成されるもので、この通気空間２は、マット本体１の下面側に、重合接合部１４に沿ってマット本体１の外方に通じるように形成されている。
又、前記重合接合部１４には、通気空間２からマット本体１の上面側に通じる通気孔５が形成されており、この通気孔５は重合接合部１４の全範囲に分布するように形成されている。この通気孔５の孔径は約５ｍｍに形成されて、全通気孔面積が、全マット面積に対して略３％の開口率となっている。尚、この通気孔５の孔径及び開口率は、適宜に決定することができる。
【００１２】
そして、このマット本体１には、前記各袋状部１３にそれぞれ調湿剤３０を封入した調湿剤封入部３が形成されている。
尚、前記各袋状部１３にそれぞれ消臭剤を封入して消臭剤封入部を形成した場合には、床下用マットが消臭用マットとして形成されることなる。
また、袋状部１３に調湿剤３０を封入した調湿剤封入部３と、袋状部１３に消臭剤を封入した消臭剤封入部を形成した場合には、床下用マットが調湿消臭マットとして形成されるもので、この場合、調湿剤封入部３と消臭剤封入部とを横方向に交互に位置するように配置したり、千鳥状に交互配置させるなど、一定の規則に従った配置にしてもよいし、無作為（ランダム）に配置してもよい。また、調湿剤封入部３と消臭剤封入部を別々に形成してもよいが、袋状部１３に調湿剤３０と消臭剤を混合させた混合剤封入部を形成させるようにしてもよい。
尚、この調湿剤封入部又は／及び消臭剤封入部を形成する袋状部１３の数は、少なくとも１個づつの合計２個以上（複数個）あればよい。
【００１３】
又、前記調湿剤３０としては、セピオライト、ゼオライト、シリカゲル、珪藻土等を用いることができるし、消臭剤としては、活性炭、竹炭、木炭等を用いることができる。
【００１４】
このように形成された調湿用マットは、上側シート材１２が上面になるようにして、これを複数枚（１枚でもよい）床下地面Ｇに並べて使用することになる。そして、上側シート材１２が透湿性シート材（不織布）であることから、この上側シート材１２を通して調湿剤封入部３に収容した調湿剤３０により、床下空間の調湿が行われるもので、この場合、梅雨時期、夏期等の湿気が多い季節では床下空間の湿気を吸収するので、床下空間を低湿度にすることができるし、冬期、春期等の湿気が少ない季節では調湿剤３０から床下空間に水分を放出するので、長期的に床下空間の調湿ができる。
また、各袋状部１３に消臭剤を封入して消臭剤封入部を形成した場合には、床下用マットが消臭用マットとして機能するため、床下空間の嫌な臭いについても、上側シート材１２を通して消臭剤封入部に収容した消臭剤により消臭することができるし、調湿消臭マットとして形成した場合には、調湿及び消臭ができる。
【００１５】
又、下側シート材１１に非吸水性の熱可塑性シート材を用いているため、調湿剤の直接散布のような不具合を防止できるが、反面、床下地面Ｇから蒸発した水蒸気が下側シート材１１によって遮られる結果、結露が発生してカビや嫌気性微生物による土壌腐敗が生じるおそれがあり、これに伴ない、カビ臭や腐敗臭が床下空間にこもるという不具合が生じてしまう。
このような不具合に対して、通気空間２が形成されているため、この通気空間２が湿気の抜け道として機能し、床下地面Ｇからの一部分の湿気をマット本体１の外方に逃がすことができるし、さらに、通気孔５を通してマット本体１の下面側と上面側とが連通して通気できるようになっているため、床下地面Ｇから蒸発した一部分の水蒸気を、この通気孔５を通して調湿マットの上方に通気させることができる。そのため、下側シート材１１の結露の発生を改善することができる。又、嫌気性微生物の繁殖を抑制し、土壌腐敗のおそれをなくすことができる。そして、このように通気孔５を通して調湿マットの上方に通気した水蒸気は、調湿剤封入部３の調湿剤３０によって吸収されるため、床下空間を低湿度に維持することができる。尚、消臭マットとして形成した場合には、床下の消臭が可能で通気した臭気も消臭できる。
【００１６】
尚、図３は上記の調湿用マットを床下地面に敷き詰めた使用時と不使用時とで、床下の木材の含水率の変化を調べた実験結果を示しており、この図で判るように、ほぼ２ヶ月に亘る実験でも木材の含水率を安全域に維持させることができた。
この実験に使用した調湿用マットは、そのサイズを縦４５０ｍｍ×横４５０ｍｍ×厚さ３５ｍｍとし、重量を２．５ｋｇとし、調湿剤としてセピオライトを用いた。また、木材の含水率は、杉材９ｃｍ×９ｃｍ×１０ｃｍの５本の平均値で求めた。
【００１７】
【発明の効果】
以上説明してきたように、本発明の床下用マット（請求項１）にあっては、これを調湿用マットに形成すると、床下空間の湿気を調湿して、低湿度に維持できるし、又、消臭用マットに形成すると、床下空間の悪臭を消臭でき、又、調湿消臭マットに形成すると、床下空間の調湿及び消臭ができる。
特に、通気空間によって床下地面からの一部分の湿気をマット本体の外方に逃がすことができるので、下側シート材の結露の発生を改善することができる。
【００１８】
また、重合接合部の通気空間（請求項１）と通気孔を形成すると（請求項２）、床下地面と床下空間の間が完全に遮断されるといったことがなくなるため、湿気の多い空気が床下地面の上に閉じ込められることによる下側シート材の結露やカビの発生を減少若しくは抑制し、かつ嫌気性微生物が繁殖して土壌を腐敗させるといった不具合を防止できる。
【図面の簡単な説明】
【図１】本発明の床下用マットの実施の１形態である調湿用マットを示す平面図である。
【図２】この調湿用マットの部分断面図である。
【図３】調湿用マットを床下地面に敷き詰めた使用時と不使用時とで、木材の含水率の変化を調べた実験結果を示す図である。
【符号の説明】
１  マット本体
１１  下側シート材
１２  上側シート材
１３  袋状部
１４  重合接合部
１５  目地部
１６  凹部
２  通気空間
３  調湿剤封入部
３０  調湿剤
５  通気孔
Ｇ  床下地面
【図１】
0003552702.tif 000002
【図２】
0003552702.tif 000003
【図３】
0003552702.tif 000004